(57)【要約】【課題】物流物品の物流過程における温度履歴と取り扱い業者との情報を業者間で把握可能であると共に最終消費者も把握可能な物流管理システムを実現する。【解決手段】業者Ａは品物２３を運搬し業者Ｂに引き渡す。業者Ａは品物２３の取り扱い終了を品物２３に貼付された品物温度管理装置１０に格納した後、外部通信手段１5により取り出しデータベース１７に格納する。業者Ｂは品物２３の温度管理履歴を品物温度管理装置１０により確認し、業者Ｂの取り扱い開始を管理装置１０に送信すると共にデータベース１７に格納する。業者Ｂの品物２３の取り扱い終了時には管理装置１０の情報記憶手段に自己の業務終了を格納した後、データベース１７に格納する。品物２３を引き渡された消費者１９は品物温度管理装置個別ＩＤによりネットワークＮＷを通じてデータベース１７に格納されたその品物２３の温度履歴、取り扱い業者情報２２を入手することができる。【選択図】      図５
2006008345.tif 000002
【特許請求の範囲】
【請求項１】
上記流通物品の温度を検出する温度検出手段と、上記温度検出手段により検出された温度とそのときの時刻情報とを記憶する情報記憶手段と、この情報記憶手段に記憶された情報を外部に送信する通信手段とを有し、上記流通物品に貼付される品物温度管理装置と、
上記品物温度管理装置の通信手段を介して、固有の業者識別情報を上記情報記憶手段に格納すると共に、上記情報記憶手段に記憶された温度履歴情報及び業者識別情報を取り出せる外部通信手段と、
上記外部通信手段から、温度履歴情報及び業者識別情報が送信され、上記流通物品毎に定められた識別番号毎に上記温度履歴情報及び業者識別情報を格納したデータベースと、
を備え、消費者は、上記流通物品毎に定められ識別番号により、上記データベースにアクセスして格納された温度履歴情報及び業者識別情報を把握することができることを特徴とする物流管理システム。
【請求項２】
請求項1記載の物流管理システムにおいて、上記外部通信手段により、流通物品の取り扱い開始時と取り扱い終了時が、上記固有の業者識別情報と共に上記品物温度管理装置の情報記憶手段に格納されることを特徴とする物流管理システム。
【発明の詳細な説明】
【技術分野】
【０００１】
本発明は、物流管理システムに係わり、得に、移動する複数の品物の温度を個別に管理することができる物流システムに関する。
【背景技術】
【０００２】
従来から、例えば、生鮮食品等を運送する冷凍冷蔵車両には、冷凍冷蔵庫内の温度を管理するために冷凍冷蔵庫内に温度センサが設置されている。そして、例えば、冷凍冷蔵庫に記憶媒体としてメモリカードが挿入され、挿入されてから離脱されるまでの積荷管理期間に、温度センサにて冷凍冷蔵庫の庫内温度が測定され、その庫内温度の履歴がメモリカードに記憶される。
【０００３】
記憶された庫内温度履歴を確認することにより、生鮮食品等が良好に保存されて否かを確認することができる。
【０００４】
また、特許文献１には、品物毎に温度管理が可能な装置を付け、温度履歴を取得するという記載の技術が記載されている。
【０００５】
また、特許文献２には、個々の物品に物品識別情報、温度湿度履歴情報とを記憶する物品管理情報担体を物品に付属させる技術が記載されている。
【０００６】
【特許文献１】特開２００２−２６７３１３号公報
【特許文献２】特開２００３−１６５６２３号公報
【発明の開示】
【発明が解決しようとする課題】
【０００７】
ところで、物流の過程では、多くの業者が介在して品物の移動、保管等を行うものであるが、上記従来技術にあっては、物品毎の温度、湿度の履歴情報は確認可能であるものの、出荷・入庫・配送・加工などの過程において、いつどの業者がその業務を担当しているかを把握することができなかった。
【０００８】
また、その物品の温度湿度履歴情報にしても、携帯端末等を有する業者は把握可能であるが、その物品を使用等する最終消費者が把握することが困難であった。
【０００９】
このため、物流物品に関する詳細な情報を認識することができる物流システムが望まれている。
【００１０】
本発明の目的は、物流物品の物流過程における温度履歴と、取り扱い業者との情報を業者間で把握可能であるとともに、最終消費者も把握可能な物流管理システムを実現することである。
【課題を解決するための手段】
【００１１】
上記目的を達成するため、本発明は次のように構成される。  
（１）上記流通物品の温度を検出する温度検出手段、上記温度検出手段により検出された温度とそのときの時刻情報とを記憶する情報記憶手段、及び情報記憶手段に記憶された情報を外部に送信する通信手段を有し、上記流通物品に貼付される品物温度管理装置と、上記品物温度管理装置の通信手段を介して、固有の業者識別情報を上記情報記憶手段に格納すると共に、上記情報記憶手段に記憶された温度履歴情報及び業者識別情報を取り出せる外部通信手段と、上記外部通信手段から、温度履歴情報及び業者識別情報が送信され、上記流通物品毎に定められた識別番号毎に上記温度履歴情報及び業者識別情報を格納したデータベースとを備え、消費者は、上記流通物品毎に定められ識別番号により、上記データベースにアクセスして格納された温度履歴情報及び業者識別情報を把握することができる。
【００１２】
（２）好ましくは、上記（1）において、上記外部通信手段により、流通物品の取り扱い開始時と取り扱い終了時が、上記固有の業者識別情報と共に上記品物温度管理装置の情報記憶手段に格納される。
【発明の効果】
【００１３】
本発明によれば、物流物品の物流過程における温度履歴と、取り扱い業者との情報を業者間で把握可能であるとともに、最終消費者も把握可能な物流管理システムを実現することができる。
【００１４】
流通物品個々の温度履歴情報と、そのときの取り扱い業者識別情報を記録することで、流通物品の管理責任の所在とその証拠を明示することが可能となり、物流の流通品質の向上に寄与する。
【発明を実施するための最良の形態】
【００１５】
以下、本発明の実施形態について、添付図面を参照して説明する。  
図１は、本発明の一実施形態である物流管理システムにおける品物温度管理装置１０の概略機能ブロック図である。この品物温度管理装置１０は、タグ状の小型薄膜状のものであり、対象とする個々の品物（流通物品）に貼付され、その品物と共に流通業者等から最終消費者に移動される。
【００１６】
図１に示すように、品物温度管理装置１０は、品物毎の温度を検出する温度検出手段１１と、温度等の情報の発生時刻を取得するための時刻発生手段１２と、温度等の情報を時系列的に記憶する記憶手段１３と、外部より取り込まれる業者業務識別手段１６と、外部と情報を送受信するための無線通信手段１４とを備える。
【００１７】
温度検出手段１１は、時刻発生手段１２からの時刻情報に従って、一定時間間隔で、品物の温度を検出し、検出した温度と、その時刻情報とを記憶手段１３に記憶させる。
【００１８】
また、業者業務識別手段１６は、通信手段１４を介して取り扱い業者情報が入力されると、その業者、業務を判断して、時刻情報と共に、情報記憶手段１３記憶させる。
【００１９】
通信手段１４は、外部通信手段１５からの取り扱い開始、終了情報を業者業務識別手段１６を介して、情報記憶手段１３に記憶させる。また、外部通信手段１５からの要求に従って、情報記憶手段１３に記憶された情報を外部通信手段１5に送信する。
【００２０】
ここで、外部通信手段１５は、業者識別情報１５Ｉに基づき、業者毎に識別情報が定められ、その識別情報を品物温度管理装置１０に送信することにより、品物温度管理装置１０の業者業務識別手段１６が、識別情報から、その業者業務を識別する。
【００２１】
図２に示すように、外部通信手段１５は、品物温度管理装置１０から取り出した、温度履歴、取り扱い業者履歴情報を、業者間等で共通のデータベース１７にネットワーク等を通じて格納する。
【００２２】
この場合、外部通信手段１５は、それぞれ固有のアドレスを有し、そのアドレス（識別符号）と、業者識別情報と、温度履歴、取り扱い業者履歴情報とをデータベース１７に格納する。また、外部通信手段１５は、データベース１７に格納された業者識別情報と、温度履歴、取り扱い業者履歴情報とを読み込むことが可能となっている。
【００２３】
図３は、本発明の一実施形態において、同一の品物２３（品物温度管理装置１０が貼付されている）を一業者から他の業者に受け渡す場合の、データの送受信の説明図である。
【００２４】
ここでは、冷凍加工食品の物流システムを例として説明する。  
業者Ａは、品物２３を冷凍保管しながら運搬し、業者Ｂに引き渡す。この際、業者Ａは、品物２３の取り扱いを終了したことを品物２３に貼付された品物温度管理装置１０の情報記憶手段１３に格納した後、この情報記憶手段１３に格納された情報を外部通信手段１5により取り出し、データベース１７に格納する。
【００２５】
一方、業者Ｂは、品物２３に対して、温度管理履歴を品物温度管理装置１０により確認し、その後、業者Ｂの取り扱いが開始されたことを品物温度管理装置１０に送信すると共に、その情報をデータベース１７に格納する。
【００２６】
そして、業者Ｂが、品物２３の取り扱いを終了したときには、品物２３に貼付された品物温度管理装置１０の情報記憶手段１３に、自己の業務が終了したことを格納した後、この情報記憶手段１３に格納された情報を外部通信手段１5により取り出し、データベース１７に格納する。
【００２７】
図４は、情報記憶手段１３、データベース１７に格納された情報の一例を示す図である。
【００２８】
図４において、情報記憶手段１３、データベース１７には、時刻情報と、その時刻における温度と、取り扱いを開始した業者のアドレス、業者名、取り扱いを終了した業者のアドレス、業者名が格納されている。
【００２９】
この図４に示すように、温度履歴、取り扱い業者情報が、情報記憶手段１３及びデータベース１７に格納されているので、その品物の温度履歴、取り扱い業者を、その品物に貼付された品物温度管理装置１０から、把握することができるばかりでなく、その品物から遠く離れ多遠隔地からでも、データベース１７にネットワーク等にアクセスすれば、把握することが出来る。
【００３０】
なお、図４に示すように、業者のアドレスに対応して、業者名のみ格納してもよいし、業者名のみならず、その業者の所在地、連絡先電話番号等も格納してもよい。その業者の所在地、連絡先電話番号等は、データベース１７にのみ格納することとしてもよい。
【００３１】
図５は、本発明の一実施形態において、同一の品物２３（品物温度管理装置１０が貼付されている）を一業者から他の業者に受け渡した後、最終消費者１９に受け渡した場合の、データ利用説明図である。
【００３２】
業者Ｂから品物２３を引き渡された消費者１９は、その品物２３に添付等された品物温度管理装置個別ＩＤ２０に基づき、パソコン２１により、ネットワークＮＷを通じて、データベース１７に格納されたその品物２３の温度履歴、取り扱い業者情報２２を入手することができる。
【００３３】
これにより、消費者１９は、その品物２３に対する品質の良し悪しを判断することができ、商品取引の信頼性、安全性を向上することができる。つまり、その品物について、温度管理状況が悪く、返品対象物品である場合には、そのことを消費者が把握することができると共に、製造元等もデータベース１７により把握することができるので、両者間の合意が速やかに行なわれ、商品取引の信頼性、安全性、取引性を向上することができる。
【００３４】
また、消費者１９自身が、外部通信手段を有することにより、購入等した品物の、購入後の温度履歴を把握することも可能である。
【００３５】
また、品物２３が流通業者により運搬または保管中である場合、その品物の製造元業者は、ネットワークを通じてデータベース１７に格納された温度履歴情報、取り扱い業者情報を把握することができるため、何処にあるどのような品物（例えば、温度管理状況が最も良好な品物）を、何処に配送するかの決定を遠隔地から配送業者等に指示することが可能となる。
【００３６】
なお、上述した例は、品物の温度履歴を格納する例であるが、温度のみならず、湿度検出手段や衝撃検出手段等を備え、これら湿度や衝撃等の履歴を格納することも可能である。
【図面の簡単な説明】
【００３７】
【図１】本発明の一実施形態である品物温度管理装置の概略機能ブロック図である。
【図２】品物温度管理装置の温度履歴情報等を共通データベースに格納する説明図である。
【図３】本発明において、品物が流通される際のデータ送受信の説明図である。
【図４】情報記憶手段、データベースに格納された情報の一例を示す図である。
【図５】本発明において、品物が最終消費者にまで引き渡される際のデータ送受信の説明図である。
【符号の説明】
【００３８】
１０          品物温度管理装置
１１          温度検出手段
１２          時刻発生手段
１３          情報記憶手段
１４          通信手段
１５          外部通信手段
１６          業者業務識別手段
１７          データベース
１９          消費者
２３          品物（流通物品）
【図１】
2006008345.tif 000003
【図２】
2006008345.tif 000004
【図３】
2006008345.tif 000005
【図４】
2006008345.tif 000006
【図５】
2006008345.tif 000007